(57)【要約】【課題】動画像に対する適切な階調補正を保ちながら階調補正の追従性を向上することができるようにする。【解決手段】動画像において輝度ヒストグラムを検出してその結果によって階調補正特性を変更するときに、補正量の変化量の許容値を輝度ヒストグラム情報から動的に生成するようにして、動画像に対する適切な階調補正を保ちながら階調補正の追従性を向上することができ、より高画質な動画表示を行うことができるようにする。【選択図】図１
2008017321.tif 000002
【特許請求の範囲】
【請求項１】
入力画像の輝度レベルを複数の領域に分割し、前記各領域の輝度ヒストグラムをフレームごとに取得するヒストグラム取得手段と、
前記ヒストグラム取得手段によって取得された輝度ヒストグラムに応じて階調補正特性を生成する階調補正特性生成手段と、
前記階調補正特性生成手段によって生成された階調補正特性に応じて前記入力画像の階調補正を行う階調補正手段と、
前記階調補正特性生成手段によって生成された現在のフレームの階調補正特性と前フレームの階調補正特性との変更量を輝度レベル領域ごとに算出し、前記輝度ヒストグラムに応じて前記変更量を制限する階調補正特性変更制限手段とを有することを特徴とする画像処理装置。
【請求項２】
前記階調補正特性変更制限手段は、前記輝度ヒストグラムの値が大きくなるに従って前記変更量を小さな値に制限することを特徴とする請求項１に記載の画像処理装置。
【請求項３】
入力画像の輝度レベルを複数の領域に分割し、前記各領域の輝度ヒストグラムをフレームごとに取得するヒストグラム取得手段と、
前記ヒストグラム取得手段によって取得された輝度ヒストグラムに応じて階調補正特性を生成する階調補正特性生成手段と、
前記階調補正特性生成手段によって生成された階調補正特性に応じて前記入力画像の階調補正を行う階調補正手段と、
前記階調補正特性生成手段によって生成された現在のフレームの階調補正特性と前フレームの階調補正特性との変更量を輝度レベル領域ごとに算出するとともに前記輝度ヒストグラムから前記変更量の許容値を算出し、前記変更量が前記許容値を超えた場合は、前記変更量を前記許容値に制限する階調補正特性変更制限手段とを有することを特徴とする画像処理装置。
【請求項４】
前記変更量の許容値は、単調減少関数であることを特徴とする請求項３に記載の画像処理装置。
【請求項５】
入力画像の階調補正を行う画像処理方法であって、
前記入力画像の輝度レベルを複数の領域に分割し、前記各領域の輝度ヒストグラムをフレームごとに取得するヒストグラム取得ステップと、
前記ヒストグラム取得ステップにおいて取得された輝度ヒストグラムに応じて階調補正特性を生成する階調補正特性生成ステップと、
前記階調補正特性生成ステップにおいて生成された階調補正特性に応じて前記入力画像の階調補正を行う階調補正ステップと、
前記階調補正特性生成ステップにおいて生成された現在のフレームの階調補正特性と前フレームの階調補正特性との変更量を輝度レベル領域ごとに算出し、前記輝度ヒストグラムに応じて前記変更量を制限する階調補正特性変更制限ステップとを有することを特徴とする画像処理方法。
【請求項６】
前記階調補正特性変更制限ステップにおいては、前記輝度ヒストグラムの値が大きくなるに従って前記変更量を小さな値に制限することを特徴とする請求項５に記載の画像処理方法。
【請求項７】
入力画像の輝度レベルを複数の領域に分割し、前記各領域の輝度ヒストグラムをフレームごとに取得するヒストグラム取得ステップと、
前記ヒストグラム取得ステップにおいて取得された輝度ヒストグラムに応じて階調補正特性を生成する階調補正特性生成ステップと、
前記階調補正特性生成ステップにおいて生成された階調補正特性に応じて前記入力画像の階調補正を行う階調補正ステップと、
前記階調補正特性生成ステップにおいて生成された現在のフレームの階調補正特性と前フレームの階調補正特性との変更量を輝度レベル領域ごとに算出するとともに前記輝度ヒストグラムから前記変更量の許容値を算出し、前記変更量が前記許容値を超えた場合は、前記変更量を前記許容値に制限する階調補正特性変更制限ステップとを有することを特徴とする画像処理方法。
【請求項８】
請求項５または７に記載の方法の各ステップをコンピュータにて実施させることを特徴とするプログラム。
【発明の詳細な説明】
【技術分野】
【０００１】
本発明は画像処理装置、画像処理方法及びプログラムに関し、特に、動画像における階調補正に用いて好適な技術に関する。
【背景技術】
【０００２】
従来、ディスプレイやテレビなどでは、表示される画像の特徴を検出して表示画像の画質を自動的に調整することが行われている。その中の１つの方法として、画像の輝度ヒストグラムを検出してその結果によって階調補正特性を変更する方法が知られており、これまでに様々な発明がなされてきている。
【０００３】
基本的な方法としては、画像の輝度ヒストグラムを検出して、ヒストグラムが大きいレベルでは入力に対して例えばゲインを大きくするなどすることで多くの階調数を割り当てる。そして、逆にヒストグラムが小さいレベルでは入力に対してゲインを小さくして少ない階調数を割り当てるようにする。その結果階調補正後の画像の輝度ヒストグラムは入力よりも平坦化されて、階調表現をより有効に利用でき、より見やすい画像にすることができる。
【０００４】
この方法をさらに改善した発明もなされている。例えば、特許文献１に開示された発明においては、画像のヒストグラム情報のほかにダイナミックレンジ情報を同時に利用して階調補正特性の生成を改善している。また、特許文献２に開示された発明においては、補正量を時間的に変更することによって画質補正を動画に対して適応させ、動画像の高画質化を可能としている。
【０００５】
【特許文献１】特開２００２−２７２８５号公報
【特許文献２】特開２００２−２６２３０３号公報
【発明の開示】
【発明が解決しようとする課題】
【０００６】
前述した技術においては、動画像に対応するため画質補正量を時間的に変更するなどしている。このとき補正量の変更量が大きすぎるとフレーム画像間の画質の差が大きくなってちらつきのように見えるなどの問題をなくすため、補正量の変化量に制限幅を設けている。しかしながら、このときの制限幅は一定の値としていたため、動画に対する追従性に限界があった。
【０００７】
本発明は前述の問題点に鑑み、動画像に対する適切な階調補正を保ちながら階調補正の追従性を向上することができるようにすることを目的としている。
【課題を解決するための手段】
【０００８】
本発明の画像処理装置は、入力画像の輝度レベルを複数の領域に分割し、前記各領域の輝度ヒストグラムをフレームごとに取得するヒストグラム取得手段と、前記ヒストグラム取得手段によって取得された輝度ヒストグラムに応じて階調補正特性を生成する階調補正特性生成手段と、前記階調補正特性生成手段によって生成された階調補正特性に応じて前記入力画像の階調補正を行う階調補正手段と、前記階調補正特性生成手段によって生成された現在のフレームの階調補正特性と前フレームの階調補正特性との変更量を輝度レベル領域ごとに算出し、前記輝度ヒストグラムに応じて前記変更量を制限する階調補正特性変更制限手段とを有することを特徴とする。
また、本発明の画像処理装置の他の特徴とするところは、入力画像の輝度レベルを複数の領域に分割し、前記各領域の輝度ヒストグラムをフレームごとに取得するヒストグラム取得手段と、前記ヒストグラム取得手段によって取得された輝度ヒストグラムに応じて階調補正特性を生成する階調補正特性生成手段と、前記階調補正特性生成手段によって生成された階調補正特性に応じて前記入力画像の階調補正を行う階調補正手段と、前記階調補正特性生成手段によって生成された現在のフレームの階調補正特性と前フレームの階調補正特性との変更量を輝度レベル領域ごとに算出するとともに前記輝度ヒストグラムから前記変更量の許容値を算出し、前記変更量が前記許容値を超えた場合は、前記変更量を前記許容値に制限する階調補正特性変更制限手段とを有することを特徴とする。
【０００９】
本発明の画像処理方法は、入力画像の階調補正を行う画像処理方法であって、前記入力画像の輝度レベルを複数の領域に分割し、前記各領域の輝度ヒストグラムをフレームごとに取得するヒストグラム取得ステップと、前記ヒストグラム取得ステップにおいて取得された輝度ヒストグラムに応じて階調補正特性を生成する階調補正特性生成ステップと、前記階調補正特性生成ステップにおいて生成された階調補正特性に応じて前記入力画像の階調補正を行う階調補正ステップと、前記階調補正特性生成ステップにおいて生成された現在のフレームの階調補正特性と前フレームの階調補正特性との変更量を輝度レベル領域ごとに算出し、前記輝度ヒストグラムに応じて前記変更量を制限する階調補正特性変更制限ステップとを有することを特徴とする。
また、本発明の画像処理方法の他の特徴とするところは、入力画像の輝度レベルを複数の領域に分割し、前記各領域の輝度ヒストグラムをフレームごとに取得するヒストグラム取得ステップと、前記ヒストグラム取得ステップにおいて取得された輝度ヒストグラムに応じて階調補正特性を生成する階調補正特性生成ステップと、前記階調補正特性生成ステップにおいて生成された階調補正特性に応じて前記入力画像の階調補正を行う階調補正ステップと、前記階調補正特性生成ステップにおいて生成された現在のフレームの階調補正特性と前フレームの階調補正特性との変更量を輝度レベル領域ごとに算出するとともに前記輝度ヒストグラムから前記変更量の許容値を算出し、前記変更量が前記許容値を超えた場合は、前記変更量を前記許容値に制限する階調補正特性変更制限ステップとを有することを特徴とする。
【００１０】
本発明のプログラムは、前記の何れかに記載の方法の各ステップをコンピュータにて実施させることを特徴とする。
【発明の効果】
【００１１】
本発明によれば、動画像において輝度ヒストグラムを検出してその結果によって階調補正特性を変更するときに、補正量の変化量の許容値を輝度ヒストグラム情報から動的に生成するようにした。これにより、動画像に対する適切な階調補正を保ちながら階調補正の追従性を向上することができ、より高画質な動画表示を可能とした。
【発明を実施するための最良の形態】
【００１２】
（第１の実施形態）
以下、本発明の第１の実施形態について図面を参照しながら説明する。本実施形態においては、液晶ディスプレイを例として説明する。図１は、本実施形態における液晶ディスプレイ内部の機能構成例を示すブロック図である。
【００１３】
まず映像入力として、ＮＴＳＣビデオ映像信号である映像信号が映像入力部１へ入力されているものとする。映像入力部１においては、アナログコンポジット信号である入力信号をまずＡ／Ｄ変換により、横方向に７２０画素、縦方向に２４０ラインでサンプリングしてデジタル化する。次に、デジタル化された信号はＹ／Ｃ分離処理が行われ、そして、Ｙ／Ｃ分離された信号はＲＧＢ信号への変換処理が行われたのち、デジタルＲＧＢ信号１１として画像調整部２及びヒストグラム取得部４へ出力される。
【００１４】
画像調整部２では、インタレース信号であるデジタル画像信号に対してライン数を２倍の４８０本にするＩ／Ｐ変換を行いプログレッシブ化する。ここでＩ／Ｐ変換の方法としては、生成するラインの上下ラインのデータの平均値を用いる。一方、例えば、時間的に異なる前後のフィールドと現在のフィールドとの動き成分を検出してその結果により前後フィールドのデータも利用してデータを生成するいわゆる３次元Ｉ／Ｐ変換などの方法を使用しても良い。
【００１５】
次に、ここでは液晶パネル９の画素数は横方向に１０２４画素、縦方向に７６８画素からなっているものとする。プログレッシブ化された解像度である横方向の７２０画素および縦方向の４８０本の解像度を、液晶パネル９の画素数に合わせるために解像度の変換を行う。
【００１６】
変換された画像信号はここで一旦フレームメモリ３に書き込まれ保存される。
そして、フレームメモリ３に保存された画像信号は液晶パネル９の駆動タイミングに同期したタイミングで再び画像調整部２に読み出される。そして、画像信号は画像調整部２でコントラスト調整、ブライト調整、色調整、エッジ強調、ノイズ低減処理などの各画像調整処理が施されたのち、階調補正部７へ送信される。
【００１７】
一方、デジタル画像信号は、ヒストグラム取得部４にも入力される。ヒストグラム取得部４では、デジタル画像信号のデータから輝度を計算する。ここで輝度をＬとして、Ｘ、Ｙ、Ｚを係数とすると、以下に示す（１）式により輝度Ｌを計算する。
【００１８】
【数１】
2008017321.tif 000003
【００１９】
ここで係数Ｘ、Ｙ、Ｚは個々の光学系などのシステムの構成から決定される。例えば、装置の組み立て時などにＲ、Ｇ、Ｂの輝度測定を行うなどの手順によってこれらの係数を決定する。
【００２０】
次に、ヒストグラム取得部４では、輝度レベルを１６個の領域に分割し、各領域の輝度ヒストグラムＨ（Ｋ）をフレームごとに計測する。デジタル画像信号は、横方向に７２０画素、縦方向に２４０ラインからなっているから、全画素数は、１７２８００画素である。そして、１６に分割した各領域について画素数をカウントしていき、１フレーム分のカウントを終了したらカウント数を６７５で割った値をＨ（Ｋ）とする。この処理の結果の例を図２に示す。入力輝度を１６領域に分割し各々のヒストグラム値を得る。ここでは例えば以下の表１に示すような値であったものとする。
【００２１】
【表１】
2008017321.tif 000004
【００２２】
次に、ヒストグラム取得部４で計測した輝度ヒストグラムＨ（Ｋ）データは階調補正特性生成部５に送信される。階調補正特性生成部５では受信した輝度ヒストグラムＨ（Ｋ）データを入力輝度の低い領域から積算していくことで階調補正特性を生成する。各輝度領域に対する階調補正特性をγ（Ｋ）とすると、表１に示した結果より、以下の表２に示す結果が算出される。
【００２３】
【表２】
2008017321.tif 000005
【００２４】
なおここで、全画素数１７２８００画素を全てカウントし、終了時に６７５で割ることで、ヒストグラム値の総和は、Ｈ（０）＋Ｈ（１）＋・・・＋Ｈ（１５）＝２５６となる。これにより、γ（１６）は必ず２５６となる。このようにすることにより階調補正回路のビット数を固定できるため小型化できる。
【００２５】
なお、表２に示す各点の間を直線で結ぶと階調補正特性γ（Ｋ）となる。そのグラフを図３に示す。このようにヒストグラムが大きい領域では傾きが大きくなり階調が引き伸ばされ、逆にヒストグラムが小さい領域では傾きが小さくなり階調が圧縮される。
【００２６】
本実施形態においては、輝度ヒストグラムＨ（Ｋ）データを入力輝度の低い領域から積算していき階調補正特性を生成したが、例えば積算量に上限値や下限値を設けるなどして急峻な特性や潰れを防ぐなどの処理を行ってももちろんよい。このようにして階調補正特性生成部５が生成した階調補正特性γ（Ｋ）データおよび輝度ヒストグラムＨ（Ｋ）データは階調補正特性変更量制限部６に送信される。
【００２７】
階調補正特性変更量制限部６では、前フレームの階調補正特性γｐ（Ｋ）のデータを保存している。まず、現在のフレームの階調補正特性と前フレームの階調補正特性との変更量の絶対値である、｜Δγ（Ｋ）｜＝｜γ（Ｋ）−γｐ（Ｋ）｜を算出する。ここでは、γｐ（Ｋ）は以下の表３に示す値であったものとする。
【００２８】
【表３】
2008017321.tif 000006
【００２９】
表２及び表３に示した結果より、｜Δγ（Ｋ）｜は以下の表４に示す値となる。
【００３０】
【表４】
2008017321.tif 000007
【００３１】
次に、輝度ヒストグラムＨ（Ｋ）データから階調補正特性の変更量の許容値ＭＡＸ（Ｈ（Ｋ））を算出する。ここでは例えば、ＭＡＸ（Ｘ）は以下の数２に示すものとする。
【００３２】
【数２】
2008017321.tif 000008
【００３３】
式（２）のＸとＭＡＸ（Ｘ）との関係を図４に示す。式（２）によると、変更量の許容値ＭＡＸ（Ｘ）は、ヒストグラムが最小の０のときに最大の値６をとり、ヒストグラムが３２以上のとき最小の値１をとることになる。
【００３４】
これは、ヒストグラムが小さければ画面内に表示されている面積が小さいということであるから、階調補正特性のフレーム間の変化が大きくても目立ちにくい。逆にヒストグラムが大きければ画面内の表示面積が大きいから、階調補正特性のフレーム間の変化が大きいと目立ってしまいちらつきとなる可能性がある。これにより階調補正特性のフレーム間の変化を小さく抑える必要があるため、このような特性をもたせている。
【００３５】
なお、本実施形態においては、式（２）を用いて説明したが、ＭＡＸ（Ｘ）はヒストグラムが小さいとき大きな値をとり、ヒストグラムが大きくなるに従って減少するような単調減少関数であればさまざまな式を適用できることはいうまでもない。
【００３６】
次に、表１及び式（２）より、ＭＡＸ（Ｈ（Ｋ））を算出する。
なお、算出結果の小数点以下は四捨五入処理をおこなうものとする。以下の表５に算出結果を示す。
【００３７】
【表５】
2008017321.tif 000009
【００３８】
ここで、｜Δγ（Ｋ）｜＞ＭＡＸ（Ｈ（Ｋ））ならば、｜Δγ（Ｋ）｜をＭＡＸ（Ｈ（Ｋ））に変更する。本実施形態においては、表４及び表５に示した結果から、Ｋ＝５、６、８、９、１０、１１、１２、１３、１４が該当し、それぞれの｜Δγ（Ｋ）｜がＭＡＸ（Ｈ（Ｋ））に変更される。その結果を以下の表６に示す。
【００３９】
【表６】
2008017321.tif 000010
【００４０】
表６に示した結果より、階調補正特性γ（Ｋ）を以下の数３に示す式により更新する。
【００４１】
【数３】
2008017321.tif 000011
【００４２】
表３、表６及び式（３）より、γ（Ｋ）は以下の表７に示す結果となる。
【００４３】
【表７】
2008017321.tif 000012
【００４４】
そして更新された階調補正特性γ（Ｋ）は、階調補正部７に送信される。階調補正部７においては、受信した階調補正特性γ（Ｋ）に従い画像調整部２からのデジタル画像信号に対して階調補正をおこなう。なお、γ（Ｋ）の１６点の間を線形補間計算により補正値を算出する。
【００４５】
具体的には、信号の入力レベルをＹｉｎ（０〜２５５の範囲の値を持つ）、補正後のレベルをＹｏｕｔ（０〜２５５の範囲の値を持つ）とすると、以下の数４に示す式によってＹｏｕｔが算出される。
【００４６】
【数４】
2008017321.tif 000013
【００４７】
なお、本実施形態においては、式（４）のような線形補間計算により補正値を算出したが、その他の様々な補間方法が適用できることはいうまでもない。そしてＹｏｕｔはパネル駆動信号生成部８に送信される。パネル駆動信号生成部８においては、受信した画像信号に同期したパネル駆動信号を生成し、画像信号及びパネル駆動信号を液晶パネル９に出力する。そして、液晶パネル９上に画像信号が形成される。
【００４８】
以上のように本実施形態においては、動画像において輝度ヒストグラムを検出してその結果によって階調補正特性を変更するときに、補正量の変化量の許容値を輝度ヒストグラム情報から動的に生成するようにした。これにより、動画像に対する適切な階調補正を保ちながら階調補正の追従性を向上することができ、より高画質な動画表示を可能とした。
【００４９】
（第２の実施形態）
以下、本実施形態について説明する。本実施形態においては、携帯型液晶ディスプレイを例として説明する。本装置においては装置内部のメモリあるいはハードディスクなどに保存された動画像を、内蔵されたマイクロコントローラー（図示せず）により画像処理を行って液晶画面上に再生を行う。マイクロコントローラーが行う動画再生処理について以下に説明する。なお、本実施形態における機能構成については図１と同様であるため、機能構成についての説明は割愛する。
【００５０】
まず、マイクロコントローラーは、フレームメモリ３等から圧縮された映像を読み出しデコード処理を行う。次に、液晶パネル９上に表示をおこなうサイズに合わせるため解像度変換を行う。なお、表示サイズはユーザが画面上のメニュー設定により決定されるため、その値に応じて倍率を設定し拡大または縮小を行う。次に、コントラスト調整、ブライト調整、色調整、エッジ強調、ノイズ低減処理などの各画像調整処理を行う。そして、階調補正処理を行う。
【００５１】
図５は、本実施形態における階調補正処理手順の一例を示すフローチャートである。なお、処理の詳細については第１の実施形態と同様であるため詳細な説明は省く。
まず、ステップＳ５０１において、階調補正処理を開始する。次に、ステップＳ５０２において、輝度レベルを複数の領域に分割し、各領域の輝度ヒストグラムＨ（Ｋ）をフレームごとに計測する。
【００５２】
そして、ステップＳ５０３で、輝度ヒストグラムＨ（Ｋ）データを入力輝度の低い領域から積算していくことで階調補正特性を生成する。次に、ステップＳ５０４で、現在のフレームの階調補正特性と前フレームの階調補正特性との変更量Δγ（Ｋ）を算出する。
そしてステップＳ５０５で、輝度ヒストグラムＨ（Ｋ）データから階調補正特性の変更量の許容値ＭＡＸ（Ｈ（Ｋ））を算出し｜Δγ（Ｋ）｜と比較する。この比較の結果、｜Δγ（Ｋ）｜＞ＭＡＸ（Ｈ（Ｋ））ならばステップＳ５０６に進む。一方、ステップＳ５０５の比較の結果、それ以外である場合はステップＳ５０７に進む。そして、ステップＳ５０７で、｜Δγ（Ｋ）｜をＭＡＸ（Ｈ（Ｋ））に変更し、階調補正特性γ（Ｋ）を更新する。
【００５３】
そして、ステップＳ５０８において、更新された階調補正特性γ（Ｋ）により画像信号に対して階調補正を行い、ステップＳ５０９において、階調補正処理を終了する。そして階調補正処理を行った画像は液晶パネル９上に画像信号が形成されることになる。
【００５４】
以上のように本実施形態においては、動画像に対する適切な階調補正を保ちながら階調補正の追従性を向上することができ、より高画質な動画表示を可能とした。
【００５５】
（本発明に係る他の実施形態）
前述した本発明の実施形態における画像処理装置を構成する各手段、並びに画像処理方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５６】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００５７】
なお、本発明は、前述した実施形態の機能を実現するソフトウェアのプログラム（実施形態では図５に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００５８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５９】
その場合、プログラムの機能を有していれば、オブジェクトコード、インタプリタにより実行されるプログラム、ＯＳに供給するスクリプトデータ等の形態であってもよい。
【００６０】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６１】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６３】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６４】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６５】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６６】
【図１】本発明の第１の実施形態における液晶ディスプレイ内部の機能構成例を示すブロック図である。
【図２】本発明の第１の実施形態における輝度ヒストグラムの一例を示す図である。
【図３】本発明の第１の実施形態における階調補正特性の一例を示す図である。
【図４】本発明の第１の実施形態における階調補正特性の変更量の許容値の一例を示す図である。
【図５】本発明の第２の実施形態における階調補正処理手順の一例を示すフローチャートである。
【符号の説明】
【００６７】
１  映像入力部
２  画像調整部
３  フレームメモリ
４  ヒストグラム取得部
５  階調補正特性生成部
６  階調補正特性変更量制限部
７  階調補正部
８  パネル駆動信号生成部
９  液晶パネル
【図１】
2008017321.tif 000014
【図２】
2008017321.tif 000015
【図３】
2008017321.tif 000016
【図４】
2008017321.tif 000017
【図５】
2008017321.tif 000018